(57)【要約】【課題】洗浄時の洗浄力が維持でき、且つ泡立ち性が優れ、しかもすすぎ工程において泡がすばやく消え、すすぎが速やかに完了する衣料用粉末洗剤組成物を提供する。【解決手段】（Ａ）（Ａ−１）直鎖アルキルベンゼンスルホン酸塩及び（Ａ−２）アルキル硫酸塩を含む界面活性剤（Ｂ）炭酸塩及び非晶質ケイ酸塩から選ばれる化合物、（Ｃ）硫酸塩及び金属塩化物から選ばれる化合物、並びに、（Ｄ）（Ｄ−１）特定の無機多価金属イオン捕捉ビルダー及び（Ｄ−２）特定の有機多価金属イオン捕捉ビルダーを、特定条件で含有し、（Ａ−２）としてアルキル基の炭素数が１６以上のアルキル硫酸塩を含む、衣料用粉末洗剤組成物。【選択図】なし【特許請求の範囲】
【請求項１】
（Ａ）界面活性剤〔以下、（Ａ）成分という〕５質量％以上、４０質量％以下、
（Ｂ）炭酸塩及び非晶質ケイ酸塩から選ばれる化合物〔以下、（Ｂ）成分という〕、
（Ｃ）硫酸塩及び金属塩化物から選ばれる化合物〔以下、（Ｃ）成分という〕、並びに、
（Ｄ）（Ｄ−１）アルミノケイ酸塩、結晶性ケイ酸塩及びリン酸塩から選ばれる一種以上の無機多価金属イオン捕捉ビルダー〔以下、（Ｄ−１）成分という〕０質量％以上、１５質量％以下、（Ｄ−２）カルボン酸系高分子化合物から選ばれる一種以上の有機多価金属イオン捕捉ビルダー〔以下、（Ｄ−２）成分という〕０質量％以上、４質量％以下
を含有し、
（Ａ）成分として、（Ａ−１）直鎖アルキルベンゼンスルホン酸塩〔以下、（Ａ−１）成分という〕及び（Ａ−２）アルキル硫酸塩〔以下、（Ａ−２）成分という〕とを含有し、
（Ａ）成分中の（Ａ−１）成分及び（Ａ−２）成分の合計質量が７０質量％以上であり、
（Ａ−１）成分の質量と（Ａ−２）成分の質量との比〔（Ａ−１）成分／（Ａ−２）成分〕が５５／４５以上、８５／１５以下であり、
（Ａ−２）成分として、（Ａ−２−１）アルキル基の炭素数が１６以上のアルキル硫酸塩〔以下、（Ａ−２−１）成分という〕を含有し、
（Ａ−２−１）成分の質量と（Ａ−２）成分の質量との比〔（Ａ−２−１）成分／（Ａ−２）成分〕が０．４以上、１以下であり、
（Ａ−２−１）成分の質量と（Ａ）成分の質量との比〔（Ａ−２−１）／（Ａ）〕が０．０５以上、０．３以下であり、
（Ａ−１）成分及び（Ａ−２）成分の合計質量と、（Ｂ）成分の質量との比〔［（Ａ−１）成分＋（Ａ−２）成分］／（Ｂ）成分〕が２５／７５以上、６７／３３以下であり、
（Ａ−１）成分及び（Ａ−２）成分の合計質量と、（Ｃ）成分の質量との比〔［（Ａ−１）成分＋（Ａ−２）成分］／（Ｃ）成分〕が１１／８９以上、６７／３３以下であり、
（Ｄ−１）成分と（Ｄ−２）成分の合計含有量が組成物中０質量％以上、１５質量％以下である、
衣料用粉末洗剤組成物。
【請求項２】
（Ｂ）成分の質量と（Ｃ）成分の質量との比〔（Ｂ）成分／（Ｃ）成分〕が１／９９以上、９９／１以下である、請求項１記載の衣料用粉末洗剤組成物。
【請求項３】
ＪＩＳ  Ｋ  ３３６２：２００８記載の２０℃で測定する０．１質量％水溶液のｐＨが８以上、１２以上である、請求項１又は２記載の衣料用粉末洗剤組成物。
【請求項４】
請求項１〜３の何れか１項に記載の衣料用粉末洗剤組成物を含む洗浄水を接触させた被洗浄物を手洗いする手洗い洗濯方法。
【請求項５】
前記衣料用粉末洗剤組成物と水とを含む洗浄水を接触させた被洗浄物を手洗いする工程、及び手洗いした被洗浄物を水ですすぐ工程を有し、洗浄水の調製に用いる水の硬度、及び／又はすすぎに用いる水の硬度が１°ＤＨ以上、５０°ＤＨ以下である、請求項４記載の手洗い洗濯方法。
【請求項６】
前記衣料用粉末洗剤組成物と水とを含む洗浄水を接触させた被洗浄物を手洗いする工程、及び手洗いした被洗浄物を水ですすぐ工程を有し、洗浄水の調製に用いる水の硬度、及び／又はすすぎに用いる水の硬度が１０°ＤＨ以上、５０°ＤＨ以下である、請求項４又は５記載の手洗い洗濯方法。
【発明の詳細な説明】
【技術分野】
【０００１】
本発明は、衣料用粉末洗剤組成物、及び手洗い洗濯方法に関する。
【背景技術】
【０００２】
洗濯方法としては、大きく分けて手洗い洗濯と洗濯機洗濯の２種類がある。近年では洗濯機の普及により洗濯機洗濯が増加する傾向にあるが、汚れ落ちや経済性の観点から、依然、手洗い洗濯に対するニーズも多い。また、世界的にみても水資源の少ない地域では出来るだけ少ない水で洗濯できるように手洗い洗濯を採用する場合が多い。
【０００３】
手洗い洗濯及び洗濯機洗濯、中でも手洗い洗濯においては、洗浄力に加え、洗浄時の泡立ちの豊かさ、及び洗浄後のすすぎのし易さが重要な課題である。特に水資源の少ない地域においては、すすぎ工程においてすばやく泡が消え、少量の水ですすぎが完了する洗濯が強く望まれる。しかしながら、すすぎを改善する場合は泡切れのよい界面活性剤を使用する必要があるが、このような界面活性剤を用いた場合、洗浄時の泡立ち性が大きく損なわれる。特に手洗い洗濯の場合、洗浄時に泡立ちが良くない場合は洗剤を足すケースもあることから、洗浄時の泡立ちの豊かさと洗浄後のすすぎのし易さの両立が重要な課題であった。
【０００４】
特許文献１には、非イオン界面活性剤、特定の陰イオン界面活性剤、及び炭素数８〜１８の脂肪酸又はその塩を特定条件で含有する洗浄剤組成物が、洗浄時の洗浄力、及び泡立ち性が優れ、しかもすすぎ工程においてすばやく泡が消え、すすぎが速やかに完了する洗浄剤組成物であることが開示されている。特許文献２には、界面活性剤、可溶性洗浄力ビルダー、脂肪酸セッケン、第４級アンモニウム塩、シリコーン流体抑泡剤を含む、すすぎサイクル時の泡立ちと濁りを制御する洗剤組成物が開示されている。特許文献３には、界面活性剤、酵素、亜硫酸塩、ポリカルボン酸重合体、ゼオライトを含む、酵素による洗浄効果の向上した洗浄剤組成物が開示されている。特許文献４には、界面活性剤、炭酸塩と硫酸塩の混合物、ケイ酸塩、ポリカルボキシレート、ＰＥＧを含み、且つ、実質的にアルミノケイ酸塩とリン酸塩を含まない、顆粒洗剤組成物が開示されている。特許文献５には、特定の４級アンモニウム塩とセルラーゼを組合せることで高い洗浄力を発現した洗浄剤組成物が開示されている。
【先行技術文献】
【特許文献】
【０００５】
【特許文献１】特開２０１１−８９１０７号公報
【特許文献２】特開昭６２−２３０９００号公報
【特許文献３】特開昭６３−４１５９６号公報
【特許文献４】国際公開第９８／２０１０５号パンフレット
【特許文献５】欧州特許出願０４９５５５４号公報
【発明の概要】
【発明が解決しようとする課題】
【０００６】
本発明の課題は、洗浄時の洗浄力が維持でき、且つ泡立ち性が優れ、しかもすすぎ工程において泡がすばやく消え、すすぎが速やかに完了する衣料用粉末洗剤組成物を提供することである。
【課題を解決するための手段】
【０００７】
本発明は、
（Ａ）界面活性剤〔以下、（Ａ）成分という〕５質量％以上、４０質量％以下、
（Ｂ）炭酸塩及び非晶質ケイ酸塩から選ばれる化合物〔以下、（Ｂ）成分という〕、
（Ｃ）硫酸塩及び金属塩化物から選ばれる化合物〔以下、（Ｃ）成分という〕、並びに、
（Ｄ）（Ｄ−１）アルミノケイ酸塩、結晶性ケイ酸塩及びリン酸塩から選ばれる一種以上の無機多価金属イオン捕捉ビルダー〔以下、（Ｄ−１）成分という〕０質量％以上、１５質量％以下、（Ｄ−２）カルボン酸系高分子化合物から選ばれる一種以上の有機多価金属イオン捕捉ビルダー〔以下、（Ｄ−１）成分という〕０質量％以上、４質量％以下
を含有し、
（Ａ）成分として、（Ａ−１）直鎖アルキルベンゼンスルホン酸塩〔以下、（Ａ−１）成分という〕及び（Ａ−２）アルキル硫酸塩〔以下、（Ａ−２）成分という〕とを含有し、
（Ａ）成分中の（Ａ−１）成分及び（Ａ−２）成分の合計質量が７０質量％以上であり、
（Ａ−１）成分の質量と（Ａ−２）成分の質量との比〔（Ａ−１）成分／（Ａ−２）成分〕が５５／４５以上、８５／１５以下であり、
（Ａ−２）成分として、（Ａ−２−１）アルキル基の炭素数が１６以上のアルキル硫酸塩〔以下、（Ａ−２−１）成分という〕を含有し、
（Ａ−２−１）成分の質量と（Ａ−２）成分の質量との比〔（Ａ−２−１）成分／（Ａ−２）成分〕が０．４以上、１以下であり、
（Ａ−２−１）成分の質量と（Ａ）成分の質量との比〔（Ａ−２−１）／（Ａ）〕が０．０５以上、０．３以下であり、
（Ａ−１）成分及び（Ａ−２）成分の合計質量と、（Ｂ）成分の質量との比〔［（Ａ−１）成分＋（Ａ−２）成分］／（Ｂ）成分〕が２５／７５以上、６７／３３以下であり、
（Ａ−１）成分及び（Ａ−２）成分の合計質量と、（Ｃ）成分の質量との比〔［（Ａ−１）成分＋（Ａ−２）成分］／（Ｃ）成分〕が１１／８９以上、６７／３３以下であり、
（Ｄ−１）成分と（Ｄ−２）成分の合計含有量が組成物中０質量％以上、１５質量％以下である、
衣料用粉末洗剤組成物に関する。
【０００８】
また、本発明は、上記本発明の衣料用粉末洗剤組成物を含む洗浄水を接触させた被洗浄物を手洗いする手洗い洗濯方法に関する。
【発明の効果】
【０００９】
本発明によれば、洗浄時の洗浄力が維持でき、且つ泡立ち性が優れ、しかもすすぎ工程においてすばやく泡が消え、または少ないすすぎ回数ですすぎ水が明澄になることにより、すすぎが速やかに完了する衣料用粉末洗剤組成物が提供される。
【発明を実施するための形態】
【００１０】
〔（Ａ）成分〕
本発明の（Ａ）成分は界面活性剤であり、少なくとも（Ａ−１）成分の直鎖アルキルベンゼンスルホン酸塩及び（Ａ−２）成分のアルキル硫酸塩を含む。
【００１１】
本発明の（Ａ−１）成分は、直鎖アルキルベンゼンスルホン酸塩である。洗浄性能、泡立ち性の観点から炭素数１０以上、１５以下のアルキル基を有するものが好ましい。（Ａ−１）成分を構成する塩はナトリウム、カリウムなどのアルカリ金属塩、アルカノールアミン塩、及びマグネシウム、カルシウムなどのアルカリ土類金属塩などを挙げることができるが、洗浄性能、泡立ち性、溶解性の観点からアルカリ金属塩が好ましく、ナトリウムがより好ましい。
【００１２】
本発明の（Ａ−２）成分は、アルキル硫酸塩であり、アルキル基の炭素数が１０以上、更に１２以上、そして、２４以下のアルキル硫酸塩が好ましい。再生産可能な原料を用いることで環境負荷を低減するという観点から、全アルキル基中の直鎖アルキル基の割合は５０質量％以上が好ましく、７０質量％以上がより好ましく、９０質量％以上が更に好ましく、９９質量％以上がより更に好ましく、１００質量％、すなわち（Ａ−２）成分が直鎖アルキル硫酸塩であることが最も好ましい。
【００１３】
本発明の衣料用粉末洗剤組成物は、（Ａ−２）成分として、アルキル基の炭素数が１６以上、好ましくは１６以上、２４以下、より好ましくは１６以上、２０以下、より好ましくは１６以上、１８以下、より好ましくは１６のアルキル硫酸塩〔以下、（Ａ−２−１）成分ともいう〕を含んでいることを特徴とする。直鎖アルキルベンゼンスルホン酸塩及びアルキル硫酸塩を含む界面活性剤を含有する衣料用粉末洗剤組成物においては、すすぎ工程時の泡切れ性やすすぎ性を更に改善することが望まれる場合があった。そこで、本発明者等は鋭意に検討した結果、衣料用粉末洗剤組成物において汎用的に用いられているアルキル基の炭素数が１２以上、１４以下のアルキル硫酸塩の代わりに、アルキル基の炭素数が１６以上のアルキル硫酸塩〔（Ａ−２−１）成分〕に着目し、この（Ａ−２−１）成分が組成物中に所定条件で存在することで、直鎖アルキルベンゼンスルホン酸塩及びアルキル硫酸塩を併用した衣料用粉末洗剤組成物のすすぎ工程時の泡切れ性やすすぎ性をより向上できることを見いだした。この観点から、本発明では、（Ａ）成分として用いる界面活性剤やその配合条件を特定しているものである。
【００１４】
（Ａ−２）成分を構成する塩はナトリウム、カリウムなどのアルカリ金属塩、アルカノールアミン塩、及びマグネシウム、カルシウムなどのアルカリ土類金属塩などを挙げることができるが、洗浄性能、泡立ち性、溶解性の観点からアルカリ金属塩が好ましく、ナトリウムがより好ましい。
【００１５】
（Ａ−１）成分及び（Ａ−２）成分以外の（Ａ）成分としては、高級アルコールのエトキシル化物の硫酸エステル塩、パラフィンスルホン酸塩、α−スルホ脂肪酸アルキルエステル塩、α−オレフィンスルホン酸塩及び脂肪酸塩から選ばれる陰イオン界面活性剤、ポリオキシアルキレンソルビタン脂肪酸エステル、ポリオキシアルキレン脂肪酸エステル、ポリオキシアルキレンアルキルエーテル、ポリオキシアルキレンアルキルフェニルエーテル、ショ糖脂肪酸エステル、ソルビタン脂肪酸エステル、脂肪酸アルカノールアミド及びアルキルグリコシドから選ばれる非イオン界面活性剤、アルキル基の炭素数が８以上、１８以下であるジ長鎖アルキルアミン及びそのポリオキシエチレン付加物、アルキル基の炭素数が８以上、１８以下であるモノ長鎖アルキル第４級アンモニウム塩、並びにアルキル基の炭素数が８以上、１８以下であるジ長鎖アルキル第４級アンモニウム塩から選ばれる陽イオン界面活性剤、カルボベタイン、スルホベタイン及びヒドロキシスルホベタインから選ばれる両性界面活性剤、からなる群から選ばれる１種以上の界面活性剤が挙げられる。中でも、非イオン界面活性剤が好ましく、ポリオキシアルキレンアルキルエーテル（アルキル基の炭素数：１０以上、１５以下、アルキレンオキシド、好ましくはエチレンオキシドの平均付加モル数：２以上、更に４以上、そして、１０以下、更に８以下）がより好ましい。
【００１６】
本発明の衣料用粉末洗剤組成物は、（Ａ）成分として非イオン界面活性剤を含有する場合、洗浄力向上及び泡切れ性の観点から、非イオン界面活性剤の含有量は、組成物中、好ましくは２質量％以下、より好ましくは１．５質量％以下、そして、洗浄力向上の観点から、好ましくは０．１質量％以上、より好ましくは０．３質量％以上、より好ましくは０．５質量％以上、より好ましくは１質量％以上である。
【００１７】
また、陽イオン界面活性剤の含有量は、洗浄力低下を抑止する観点から、組成物中、０．５質量％以下が好ましく、０．３質量％以下がより好ましく、０．１質量％以下がより好ましく、０質量％、即ち、含有しないことが最も好ましい。本発明では、アルキル基の炭素数が８以上、１８以下であるジ長鎖アルキルアミン及びそのポリオキシエチレン付加物、アルキル基の炭素数が８以上、１８以下であるモノ長鎖アルキル第４級アンモニウム塩、並びにアルキル基の炭素数が８以上、１８以下であるジ長鎖アルキル第４級アンモニウム塩から選ばれる陽イオン界面活性剤の含有量、中でもアルキル基の炭素数が８以上、１８以下であるモノ長鎖アルキル第４級アンモニウム塩及びアルキル基の炭素数が８以上、１８以下であるジ長鎖アルキル第４級アンモニウム塩から選ばれる陽イオン界面活性剤の含有量、更に中でもアルキル基の炭素数が８以上、１８以下であるモノ長鎖アルキル第４級アンモニウム塩の含有量は、洗浄力低下を抑止する観点から、組成物中、０．５質量％以下が好ましく、０．３質量％以下がより好ましく、０．１質量％以下がより好ましく、０質量％、即ち、含有しないことが最も好ましい。
【００１８】
〔（Ｂ）成分〕
本発明の（Ｂ）成分は炭酸塩及び非晶質ケイ酸塩から選ばれる化合物であり、好ましくは炭酸塩である。（Ｂ）成分は、水溶性のアルカリ無機塩が好ましい。（Ｂ）成分について、「水溶性」とは、２０℃で水１００ｇ中に１ｇ以上溶解することをいう。（Ｂ）成分は、２０℃で水１００ｇ中に５ｇ以上、更に１０ｇ以上溶解するものが好ましい。（Ｂ）成分としては、炭酸アルカリ金属塩、炭酸水素アルカリ金属塩、過炭酸アルカリ金属塩及び非晶質ケイ酸アルカリ金属塩から選ばれる１種又は２種以上を挙げることができる。より具体的には、炭酸ナトリウム、炭酸カリウム、炭酸水素ナトリウム、炭酸水素カリウム、過炭酸ナトリウム及び非晶質ケイ酸ナトリウムから選ばれる１種又は２種以上を挙げることができる。洗浄性能、泡立ち性、溶解性の観点から、炭酸塩としては、炭酸アルカリ金属塩、炭酸水素アルカリ金属塩及び過炭酸アルカリ金属塩から選ばれる１種又は２種以上が好ましく、炭酸アルカリ金属塩及び炭酸水素アルカリ金属塩から選ばれる１種以上がより好ましく、炭酸アルカリ金属塩が更に好ましい。なお、（Ｂ）成分として過炭酸塩を含有する場合、過炭酸塩の割合は、（Ｂ）成分中、０．１質量％以上、更に０．５質量％以上、更に１質量％以上が好ましく、そして、３０質量％以下、更に２０質量％以下、更に１０質量％以下が好ましい。
【００１９】
更に、洗浄性能及び泡立ち性を向上できるという観点から、本発明では、組成物が、（Ｂ）成分として、少なくとも炭酸塩を含むことが好ましく、炭酸塩と非晶質ケイ酸塩の両方を含有することがより好ましい。本発明の組成物が、（Ｂ）成分として、炭酸塩と非晶質ケイ酸塩の両方を含有する場合の炭酸塩としては、炭酸アルカリ金属塩及び炭酸水素アルカリ金属塩から選ばれる１種又は２種以上が好ましく、炭酸アルカリ金属塩が更に好ましい。より具体的には、炭酸ナトリウム、炭酸カリウム、炭酸水素ナトリウム及び炭酸水素カリウムから選ばれる１種又は２種以上を挙げることができるが、炭酸ナトリウムが好ましい。炭酸塩と非晶質ケイ酸塩を併用する場合、炭酸塩と非晶質ケイ酸塩の質量比〔炭酸塩／非晶質ケイ酸塩〕は、２以上、更に２．５以上、更に３以上、更に３．５以上、更に４以上が好ましく、そして、２０以下、更に１５以下、更に１０以下が好ましい。
【００２０】
〔（Ｃ）成分〕
本発明の（Ｃ）成分は硫酸塩及び金属塩化物から選ばれる化合物であり、好ましくは硫酸塩である。（Ｃ）成分は、水溶性中性無機塩が好ましい。（Ｃ）成分について、「水溶性」とは、２０℃で水１００ｇ中に１ｇ以上溶解することをいう。（Ｃ）成分は、２０℃で水１００ｇ中に５ｇ以上、更に１０ｇ以上溶解するものが好ましい。（Ｃ）成分としては、硫酸ナトリウム、硫酸カリウム、塩化ナトリウム及び塩化カリウムから選ばれる１種又は２種以上が挙げられ、洗浄性能、泡立ち性、消泡性の観点から硫酸ナトリウム及び／又は塩化ナトリウムが好ましい。本発明の組成物は、洗浄性能の観点から、（Ｃ）成分として硫酸ナトリウムを含有することが好ましい。（Ｃ）成分が、硫酸塩及び金属塩化物を含有する場合、硫酸塩と金属塩化物の質量比（硫酸塩／金属塩化物）は、３０以上、更に４０以上、更に４５以上、そして、６０以下、更に５６以下、更に５２以下が好ましい。本発明の組成物は、（Ｃ）成分として、硫酸ナトリウム及び硫酸カリウムから選ばれる１種以上の化合物（以下、（Ｃ１）成分という）と、塩化ナトリウム及び塩化カリウムから選ばれる１種以上の化合物（以下、（Ｃ２）成分という）とを含有することが好ましい。その場合、（Ｃ１）成分と（Ｃ２）成分の質量比（Ｃ１）／（Ｃ２）は、３０以上、更に４０以上、更に４５以上、そして、６０以下、更に５６以下、更に５２以下が好ましい。
【００２１】
〔衣料用粉末洗剤組成物の組成等〕
本発明の衣料用粉末洗剤組成物は、（Ａ）成分を５質量％以上、４０質量％以下含有する。（Ａ）成分の含有量は、組成物中、８質量％以上が好ましく、１０質量％以上がより好ましく、１２質量％以上が更に好ましい。また、（Ａ）成分の含有量は、組成物中、３５質量％以下が好ましく、３０質量％以下がより好ましく、２５質量％以下がより好ましく、２０質量％以下が更に好ましい。
【００２２】
洗浄性能の観点から、（Ａ−１）成分の含有量は、組成物中、２質量％以上が好ましく、３質量％以上がより好ましく、４質量％以上が更に好ましい。また、洗浄性能及び消泡性の観点から、（Ａ−２）成分の含有量は、組成物中、２質量％以上が好ましく、３質量％以上がより好ましく、４質量％以上が更に好ましい。
【００２３】
洗浄性能、泡立ち性、消泡性の観点から、中でも洗浄性能の観点から、（Ａ）成分中の（Ａ−１）成分及び（Ａ−２）成分の合計質量は７０質量％以上であり、７５質量％以上が好ましく、８０質量％以上が好ましく、８５質量％以上がより好ましく、９０質量％以上がより好ましく、９２質量％以上がより好ましく、９５質量％以上が更に好ましく、９７質量％以上が更に好ましく、９９質量％以上がより更に好ましい。１００質量％であっても良い。
【００２４】
泡立ち性の観点から、組成物中の（Ａ−１）成分の質量と（Ａ−２）成分の質量との比〔（Ａ−１）成分／（Ａ−２）成分〕は、５５／４５以上、８５／１５以下であり、６０／４０以上、更に６５／３５以上が好ましい。また、この質量比は、８０／２０以下、更に７５／２５以下が好ましい。
【００２５】
泡立ち性、消泡性、洗浄性能の観点から、組成物中の（Ａ−２−１）成分の質量と（Ａ−２）成分の質量との比〔（Ａ−２−１）成分／（Ａ−２）成分〕が０．４以上、１以下である。消泡性の観点から、０．４０以上、更に０．４２以上、更に０．４５以上、更に０．５以上が好ましい。また、泡立ち性の観点から、この質量比は、１以下、更に０．９以下、更に０．９０以下、更に０．８５以下が好ましい。
【００２６】
泡立ち性、消泡性の観点から、組成物中の（Ａ−２−１）成分の質量と（Ａ）成分の質量との比〔（Ａ−２−１）成分／（Ａ）成分〕が０．０５以上、０．３以下である。消泡性の観点から、０．０５以上、更に０．０７以上、更に０．０７以上、更に０．１以上、更に０．１以上、更に０．１５以上が好ましい。また、泡立ち性の観点から、この質量比は、０．２８以下、更に０．２５以下が好ましい。
【００２７】
本発明の衣料用粉末洗剤組成物における（Ｂ）成分の含有量は、洗浄性能、泡立ち性、消泡性の観点から、１０質量％以上が好ましく、１５質量％以上がより好ましく、そして、４５質量％以下が好ましく、４０質量％以下がより好ましく、３５質量％以下がより好ましい。
【００２８】
洗浄性能、泡立ち性、消泡性の観点から、組成物中の（Ａ−１）成分及び（Ａ−２）成分の合計質量と、（Ｂ）成分の質量との比〔［（Ａ−１）成分＋（Ａ−２）成分］／（Ｂ）成分〕は２５／７５以上であり、更に２６／７４以上、更に２８／７２以上、更に２９／７１以上、更に３３／６７以上が好ましく、そして、６７／３３以下であり、６６／３４以下、更に６４／３６以下、更に６３／３７以下、更に６０／４０以下、更に５５／４５以下、更に５０／５０以下、更に４５／５５以下が好ましい。
【００２９】
本発明の衣料用粉末洗剤組成物は、（Ｃ）成分を１０質量％以上、８０質量％以下含有することが好ましい。該含有量は、洗浄性能、泡立ち性、消泡性の観点から、２０質量％以上が好ましく、３０質量％以上がより好ましく、そして、７０質量％以下が好ましく、６０質量％以下がより好ましい。
【００３０】
洗浄性能、泡立ち性、消泡性の観点から、組成物中の（Ａ−１）成分及び（Ａ−２）成分の合計質量と、（Ｃ）成分の質量との比〔［（Ａ−１）成分＋（Ａ−２）成分］／（Ｃ）成分〕は１１／８９以上、６７／３３以下である。この質量比は、洗浄性能、泡立ち性能の観点から、特にすすぎ性の観点から、６７／３３以下であり、更に６０／４０以下、更に５０／５０以下、更に４５／５５以下、更に３３／６７以下が好ましい。また、同様の観点により、この質量比は、１１／８９以上であり、更に１３／８７以上、更に１４／８６以上、更に２０／８０以上が好ましい。
【００３１】
洗浄性能、泡立ち性、消泡性、特に洗浄性能、泡立ち性能の観点から、組成物中の（Ａ−１）成分及び（Ａ−２）成分の合計質量と、（Ｂ）成分及び（Ｃ）成分の合計質量との比〔［（Ａ−１）成分＋（Ａ−２）成分］／［（Ｂ）成分＋（Ｃ）成分］〕は、好ましくは１／２０以上、１／１以下である。この質量比は、１／１０以上、更に１／８以上、更に１／７以上が好ましく、そして、１／２以下、更に１／４以下が好ましい。
【００３２】
洗浄性能、泡立ち性、消泡性、特に消泡性（すすぎ性）の観点から、組成物中の（Ｂ）成分の質量と（Ｃ）成分の質量との比〔（Ｂ）成分／（Ｃ）成分〕は１／９９以上、９９／１以下が好ましい。この質量比は、３／９７以上、更に５／９５以上、更に１０／９０以上、更に１５／８５以上、更に２０／８０以上、更に２５／７５以上、更に３０／７０以上、更に３５／６５以上が好ましく、そして、９９／１以下、更に９５／５以下、更に８０／２０以下、更に６０／４０以下、５５／４５以下、５０／５０以下が好ましい。
【００３３】
本発明の衣料用粉末洗剤組成物は、（Ｄ）成分として、（Ｄ−１）アルミノケイ酸塩、結晶性ケイ酸塩及びリン酸塩から選ばれる一種以上の無機多価金属イオン捕捉ビルダー〔以下、（Ｄ−１）成分という〕と（Ｄ−２）カルボン酸系高分子化合物から選ばれる一種以上の有機多価金属イオン捕捉ビルダー〔以下、（Ｄ−２）成分という〕を、含有しないか、又は所定条件で含有する。一般に、これらの化合物は、衣料用粉末洗剤組成物において、環境高負荷多価金属イオン捕捉ビルダーとして配合されることが知られている。本発明でも（Ｄ）成分を、好ましくは複数の（Ｄ）成分を組み合わせて含有することができる。本発明では、組成物中の（Ｄ）成分の含有量は制限される。更に、（Ｄ）成分を含有しなくても良好な洗浄力が維持されたまま、泡立ち性や泡消え性を向上できることは、本発明の有利な効果を当業者により顕著に認識させるものとなる。
【００３４】
アルミノケイ酸塩としては、結晶性又は非晶質アルミノケイ酸塩を含み、チャバザイト、モンデナイト、エリオナイト、ホージャサイト、クリノプチロライトなどの天然ゼオライト、Ａ型ゼオライト、Ｘ型ゼオライト、Ｙ型ゼオライト、Ｌ型ゼオライト、オメガ型ゼオライト、Ｐ型ゼオライト、ＭＡＰ型ゼオライト等の合成ゼオライトが挙げられる。
【００３５】
結晶性ケイ酸塩としては、アルカリ金属ケイ酸塩のＳｉＯ2／Ｍ2Ｏ（但し、Ｍはアルカリ金属原子を表す。）が、モル比で０．５以上、２．６以下であるものが挙げられる。
【００３６】
リン酸塩としては、オルトリン酸塩、メタリン酸塩、トリメタリン酸塩、ピロリン酸塩、トリポリリン酸塩等が挙げられる。塩は、ナトリウム塩、カリウム塩等のアルカリ金属塩が挙げられる。
【００３７】
カルボン酸系高分子化合物としては、モノエチレン性不飽和のモノ及び／又はジカルボン酸由来の繰り返し単位、更にはアクリル酸及び／又はマレイン酸に由来する繰り返し単位を含む重量平均分子量１，０００以上、１５０，０００以下の高分子化合物が挙げられる。かかる高分子化合物は、ナトリウム塩、カリウム塩等のアルカリ金属塩などの塩であってもよい。具体的には、ポリアクリル酸及びその塩、ポリマレイン酸及びその塩、又はアクリル酸−マレイン酸共重合体及びその塩が挙げられる。中でも、ポリアクリル酸及びその塩が好ましい。
【００３８】
本発明では、（Ａ−１）成分、（Ａ−２）成分、（Ｂ）成分、（Ｃ）成分の含有量及び比率を特定範囲にすることで、従来、比較的多量に配合していた（Ｄ）成分のような環境高負荷多価金属イオン捕捉ビルダーの配合量を低減することができる。
【００３９】
本発明では、環境負荷低減の観点から、（Ｄ−１）成分の含有量は、組成物中、０質量％以上、１５質量％以下であり、１２質量％以下が好ましく、９質量以下％がより好ましく、７質量％以下が更に好ましく、５質量％以下がより更に好ましい。更に、３質量％以下、更に２質量％以下、更に１質量％以下、更に０質量％であっても良い。中でも、リン酸塩の含有量は、組成物中、７質量％以下が好ましく、５質量％以下がより好ましく、３質量％以下がより好ましく、２質量％以下がより好ましく、１質量％以下がより好ましく、０質量％が更に好ましい。
【００４０】
また、本発明では、環境負荷低減の観点から、（Ｄ−２）成分の含有量は、組成物中、０質量％以上、４質量％以下であり、３質量％以下が好ましく、２質量％以下がより好ましく、１．５質量％以下がより好ましく、１質量％以下がより好ましく、０質量％が更に好ましい。
【００４１】
また、本発明では、（Ｄ−１）成分と（Ｄ−２）成分の合計含有量は、組成物中、０質量％以上、１５質量％以下であり、１２質量％以下が好ましく、９質量以下％がより好ましく、５質量％以下が更に好ましく、４質量％以下がより更に好ましく、３質量％以下がより更に好ましく、２質量％以下がより更に好ましく、１質量％以下がより更に好ましく、０質量％がより更に好ましい。
【００４２】
本発明の組成物には、洗剤の分野で公知の漂白剤（過ホウ酸塩、漂白活性化剤等）、再汚染防止剤、柔軟化剤（ベントナイト等）、還元剤（亜硫酸塩等）、蛍光増白剤、抑泡剤（シリコーン等）、香料、酵素（セルラーゼ、プロテアーゼ、ペプチナーゼ、リパーゼ、デキストラナーゼ、アミラーゼ等）、着色剤等を含有させることができる。
【００４３】
ここで、シリコーンの含有量は、洗浄時の泡立ち性の観点から、組成物中、０．１質量％以下が好ましく、０．０５質量％以下がより好ましく、０質量％、即ち、含有しないことが最も好ましい。
【００４４】
本発明の組成物は、溶解性、生産性の観点で、組成物中の、ＪＩＳ  Ｋ  ３３６２：２００８記載の加熱減量法による水分は、０．５質量％以上、更に１質量％以上が好ましく、そして、１０質量％以下、更に８質量％以下、更に６質量％以下が好ましい。
【００４５】
本発明の組成物は、溶解性の点で、ＪＩＳ  Ｋ  ３３６２：２００８により規定された方法で測定する見掛け密度が１，６００ｇ／Ｌ以下が好ましく、１，３００ｇ／Ｌ以下がより好ましく、１，１００ｇ／Ｌ以下が更に好ましい。また、利便性や廃棄物（製品の収容、包装に用いる箱等）低減の点で、見掛け密度は３００ｇ／Ｌ以上が好ましく、３５０ｇ／Ｌ以上がより好ましく、４００ｇ／Ｌ以上が更に好ましい。
【００４６】
本発明の組成物は、溶解性の点で、ＪＩＳ  Ｚ  ８８０１の標準篩を用いて５分間振動させた後、篩目のサイズによる質量分率から求める平均粒径が１５０μｍ以上、１８０μｍ以上が好ましく、そして、１，０００μｍ以下、更に８００μｍ以下、更に６００μｍ以下が好ましい。
【００４７】
本発明の組成物は、洗浄性能の点で、ＪＩＳ  Ｋ  ３３６２：２００８記載の２０℃で測定する０．１質量％水溶液のｐＨが８以上あることが好ましく、９以上がより好ましく、９．５以上が更に好ましく、１０以上がより更に好ましく、そして、１２以下、更に１１．５以下、更に１１以下が好ましい。
【００４８】
本発明の組成物は、流動性及び非ケーキング性の点で、表面被覆剤により表面改質を行うことが好ましい。
【００４９】
本発明の組成物は、公知の方法で製造することができる。例えば、噴霧乾燥法、ドライ中和法、乾燥造粒法、ドライブレンド法、流動層乾燥法、薄膜乾燥法、押出し造粒法、転動造粒法、攪拌造粒法、圧密造粒法、界面活性剤担持法又はこれらから選択して組み合わせた方法を適用して、製造することができる。
【００５０】
本発明は、本発明の衣料用粉末洗剤組成物を含む洗浄水を接触させた被洗浄物を手洗いする手洗い洗濯方法に関する。本発明の衣料用粉末洗剤組成物を用いた手洗い洗濯方法としては、被洗浄物である衣料（布帛その他の繊維製品を含んでもよい）に、本発明の衣料用粉末洗剤組成物から調製した洗浄水を接触、浸漬させて手洗いする方法が挙げられる。接触時間及び／又は浸漬時間が長いと洗浄効果が高く、５〜１５分接触及び／又は浸漬するとより良好な効果が得られる。特に汚れた部分に直接洗浄水を塗布して５〜１５分放置すると更に高い効果が得られる。洗浄水は、本発明の組成物及び水を含有するものが用いられる。洗浄水は、本発明の組成物と水とを、本発明の組成物／水＝１／３，０００以上、１／２，０００以上、そして、１０以下、更に１以下の質量比で混合して得たものが好ましい。衣料（被洗浄物）の質量に対する洗浄水の質量は、好ましくは２倍以上、１００倍以下である。衣料（被洗浄物）の質量に対する洗浄水の質量は、２倍以上、更に３倍以上、更に５倍以上が好ましく、そして、１００倍以下、更に５０倍以下、更に２５倍以下が好ましい。本発明に係る洗浄水を接触させた衣料を十分に手でこすり洗いすると良好な洗浄力が得られるばかりか豊かな泡立ちがあるため、視覚的に好ましい。こすり洗いなどの手洗い後は洗浄水から衣料（被洗浄物）を取り出し、絞って水を切るか脱水機を用いて水を切り、新しい水〔以下すすぎ水という〕に再度浸漬させる。すすぎ水は、洗面器などにためた水でも流水でもどちらでも良い。被洗浄物に対するすすぎ水の質量は、すすぎに用いたすすぎ水の全量基準で、２倍以上、更に５倍以上、更に１０倍以上が好ましく、そして、１，０００倍以下、更に５００倍以下、更に１００倍以下が好ましい。すすぎ水を浸漬させた段階で衣料に残存している界面活性剤などが、すすぎ水に再溶解するため、泡立ちが見られる。この操作を数回繰り返すと泡立ちがなくなりすすぎ終了となる。手洗いによる一般的な洗濯では、例えば通常の洗剤を用いた場合には一般的に５回以上必要となるが、本発明では３回以下ですすぎを終了でき、非常に少ないすすぎ水ですすぎを終了させることができる。
【００５１】
本発明では、洗浄水として本発明の組成物及び水を含有するものを用い、手洗いした被洗浄物を水ですすぐことが好ましい。すなわち、本発明の手洗い洗濯方法は、本発明の衣料用粉末洗剤組成物と水とを含む洗浄水を接触させた被洗浄物を手洗いする工程、及び手洗いした被洗浄物を水ですすぐ工程を有することが好ましい。本発明では、洗浄水の調製に用いる水の硬度、及び／又はすすぎに用いる水の硬度は、洗浄力とすすぎ性の観点から１°ＤＨ以上、５０°ＤＨ以下が好ましい。洗浄水の調製に用いる水の硬度、及び／又はすすぎに用いる水の硬度は、１°ＤＨ以上、更に２°ＤＨ以上、更に３°ＤＨ以上、更に５°ＤＨ以上、更に１０°ＤＨ以上が好ましい。そして、５０°ＤＨ以下、更に３０°ＤＨ以下であっても良い。
【００５２】
本発明は、
（Ａ）界面活性剤〔以下、（Ａ）成分という〕５質量％以上、４０質量％以下、
（Ｂ）炭酸塩及び非晶質ケイ酸塩から選ばれる化合物〔以下、（Ｂ）成分という〕、
（Ｃ）硫酸塩及び金属塩化物から選ばれる化合物〔以下、（Ｃ）成分という〕、並びに、
（Ｄ）（Ｄ−１）アルミノケイ酸塩、結晶性ケイ酸塩及びリン酸塩から選ばれる一種以上の無機多価金属イオン捕捉ビルダー〔以下、（Ｄ−１）成分という〕０質量％以上、９質量％以下、（Ｄ−２）カルボン酸系高分子化合物から選ばれる一種以上の有機多価金属イオン捕捉ビルダー〔以下、（Ｄ−２）成分という〕０質量％以上、４質量％以下
を含有し、
（Ａ）成分として、（Ａ−１）直鎖アルキルベンゼンスルホン酸塩〔以下、（Ａ−１）成分という〕及び（Ａ−２）アルキル硫酸塩〔以下、（Ａ−２）成分という〕とを含有し、
（Ａ）成分中の（Ａ−１）成分及び（Ａ−２）成分の合計質量が８５質量％以上であり、
（Ａ−１）成分の質量と（Ａ−２）成分の質量との比〔（Ａ−１）成分／（Ａ−２）成分〕が５５／４５以上、８５／１５以下であり、
（Ａ−２）成分として、（Ａ−２−１）アルキル基の炭素数が１６以上のアルキル硫酸塩〔以下、（Ａ−２−１）成分という〕を含有し、
（Ａ−２−１）成分の質量と（Ａ−２）成分の質量との比〔（Ａ−２−１）成分／（Ａ−２）成分〕が０．４以上、１以下であり、
（Ａ−２−１）成分の質量と（Ａ）成分の質量との比〔（Ａ−２−１）／（Ａ）〕が０．０５以上、０．３以下であり、
（Ａ−１）成分及び（Ａ−２）成分の合計質量と、（Ｂ）成分の質量との比〔［（Ａ−１）成分＋（Ａ−２）成分］／（Ｂ）成分〕が２５／７５以上、６７／３３以下であり、
（Ａ−１）成分及び（Ａ−２）成分の合計質量と、（Ｃ）成分の質量との比〔［（Ａ−１）成分＋（Ａ−２）成分］／（Ｃ）成分〕が１１／８９以上、６７／３３以下であり、
（Ｄ−１）成分と（Ｄ−２）成分の合計含有量が組成物中０質量％以上、９質量％以下である、
衣料用粉末洗剤組成物を含む。また、この衣料用粉末洗剤組成物を含む洗浄水を接触させた被洗浄物を手洗いする手洗い洗濯方法を含む。
【００５３】
本発明の態様を以下に例示する。
＜１＞
（Ａ）界面活性剤〔以下、（Ａ）成分という〕５質量％以上、４０質量％以下、
（Ｂ）炭酸塩及び非晶質ケイ酸塩から選ばれる化合物〔以下、（Ｂ）成分という〕、
（Ｃ）硫酸塩及び金属塩化物から選ばれる化合物〔以下、（Ｃ）成分という〕、並びに、
（Ｄ）（Ｄ−１）アルミノケイ酸塩、結晶性ケイ酸塩及びリン酸塩から選ばれる一種以上の無機多価金属イオン捕捉ビルダー〔以下、（Ｄ−１）成分という〕０質量％以上、１５質量％以下、（Ｄ−２）カルボン酸系高分子化合物から選ばれる一種以上の有機多価金属イオン捕捉ビルダー〔以下、（Ｄ−２）成分という〕０質量％以上、４質量％以下
を含有し、
（Ａ）成分として、（Ａ−１）直鎖アルキルベンゼンスルホン酸塩〔以下、（Ａ−１）成分という〕及び（Ａ−２）アルキル硫酸塩〔以下、（Ａ−２）成分という〕とを含有し、
（Ａ）成分中の（Ａ−１）成分及び（Ａ−２）成分の合計質量が７０質量％以上、好ましくは８５質量％以上であり、
（Ａ−１）成分の質量と（Ａ−２）成分の質量との比〔（Ａ−１）成分／（Ａ−２）成分〕が５５／４５以上、８５／１５以下であり、
（Ａ−２）成分として、（Ａ−２−１）アルキル基の炭素数が１６以上のアルキル硫酸塩〔以下、（Ａ−２−１）成分という〕を含有し、
（Ａ−２−１）成分の質量と（Ａ−２）成分の質量との比〔（Ａ−２−１）成分／（Ａ−２）成分〕が０．４以上、１以下であり、
（Ａ−２−１）成分の質量と（Ａ）成分の質量との比〔（Ａ−２−１）／（Ａ）〕が０．０５以上、０．３以下であり、
（Ａ−１）成分及び（Ａ−２）成分の合計質量と、（Ｂ）成分の質量との比〔［（Ａ−１）成分＋（Ａ−２）成分］／（Ｂ）成分〕が２５／７５以上、６７／３３以下であり、
（Ａ−１）成分及び（Ａ−２）成分の合計質量と、（Ｃ）成分の質量との比〔［（Ａ−１）成分＋（Ａ−２）成分］／（Ｃ）成分〕が１１／８９以上、６７／３３以下であり、
（Ｄ−１）成分と（Ｄ−２）成分の合計含有量が組成物中０質量％以上、１５質量％以下である、
衣料用粉末洗剤組成物。
【００５４】
＜２＞
（Ａ−１）成分が、炭素数１０以上、１５以下のアルキル基を有する直鎖アルキルベンゼンスルホン酸塩である、前記＜１＞記載の衣料用粉末洗剤組成物。
【００５５】
＜３＞
（Ａ−２）成分が、アルキル基の炭素数が１０以上、更に１２以上、そして、２４以下のアルキル硫酸塩である、前記＜１＞又は＜２＞記載の衣料用粉末洗剤組成物。
【００５６】
＜４＞
（Ａ−２）成分として、アルキル基の炭素数が、好ましくは１６以上、２４以下、より好ましくは１６以上、２０以下、より好ましくは１６以上、１８以下、より好ましくは１６のアルキル硫酸塩〔以下、（Ａ−２−１）成分ともいう〕を含んでいる、前記＜１＞〜＜３＞のいずれか記載の衣料用粉末洗剤組成物。
【００５７】
＜５＞
（Ａ−１）成分及び（Ａ−２）成分以外の（Ａ）成分が、高級アルコールのエトキシル化物の硫酸エステル塩、パラフィンスルホン酸塩、α−スルホ脂肪酸アルキルエステル塩、α−オレフィンスルホン酸塩及び脂肪酸塩から選ばれる陰イオン界面活性剤、ポリオキシアルキレンソルビタン脂肪酸エステル、ポリオキシアルキレン脂肪酸エステル、ポリオキシアルキレンアルキルエーテル、ポリオキシアルキレンアルキルフェニルエーテル、ショ糖脂肪酸エステル、ソルビタン脂肪酸エステル、脂肪酸アルカノールアミド及びアルキルグリコシドから選ばれる非イオン界面活性剤、アルキル基の炭素数が８以上、１８以下であるジ長鎖アルキルアミン及びそのポリオキシエチレン付加物、アルキル基の炭素数が８以上、１８以下であるモノ長鎖アルキル第４級アンモニウム塩、並びにアルキル基の炭素数が８以上、１８以下であるジ長鎖アルキル第４級アンモニウム塩から選ばれる陽イオン界面活性剤、カルボベタイン、スルホベタイン及びヒドロキシスルホベタインから選ばれる両性界面活性剤、からなる群から選ばれる１種以上の界面活性剤である、前記＜１＞〜＜４＞のいずれか記載の衣料用粉末洗剤組成物。
【００５８】
＜６＞
ポリオキシアルキレンアルキルエーテルが、アルキル基の炭素数が１０以上、１５以下、アルキレンオキシド、好ましくはエチレンオキシドの平均付加モル数が２以上、更に４以上、そして、１０以下、更に８以下のポリオキシアルキレンアルキルエーテルである、前記＜５＞記載の衣料用粉末洗剤組成物。
【００５９】
＜７＞
非イオン界面活性剤の含有量が、組成物中、好ましくは２質量％以下、より好ましくは１．５質量％以下、そして、好ましくは０．１質量％以上、より好ましくは０．３質量％以上、より好ましくは０．５質量％以上、より好ましくは１質量％以上である、前記＜１＞〜＜６＞のいずれか記載の衣料用粉末洗剤組成物。
【００６０】
＜８＞
陽イオン界面活性剤の含有量が、組成物中、好ましくは０．５質量％以下、より好ましくは０．３質量％以下、より好ましくは０．１質量％以下、より好ましくは０質量％である、前記＜１＞〜＜７＞のいずれか記載の衣料用粉末洗剤組成物。
【００６１】
＜９＞
（Ｂ）成分が、炭酸アルカリ金属塩、炭酸水素アルカリ金属塩、過炭酸アルカリ金属塩及び非晶質ケイ酸アルカリ金属塩から選ばれる１種又は２種以上である、前記＜１＞〜＜８＞のいずれか記載の衣料用粉末洗剤組成物。
【００６２】
＜１０＞
（Ｂ）成分として、炭酸塩と非晶質ケイ酸塩とを含有し、炭酸塩と非晶質ケイ酸塩の質量比〔炭酸塩／非晶質ケイ酸塩〕が、２以上、好ましくは２．５以上、より好ましくは３以上、より好ましくは３．５以上、より好ましくは４以上であり、そして、２０以下、好ましくは１５以下、より好ましくは１０以下である、前記＜１＞〜＜９＞のいずれか記載の衣料用粉末洗剤組成物。
【００６３】
＜１１＞
（Ｃ）成分が、硫酸ナトリウム、硫酸カリウム、塩化ナトリウム及び塩化カリウムから選ばれる１種又は２種以上である、前記＜１＞〜＜１０＞のいずれか記載の衣料用粉末洗剤組成物。
【００６４】
＜１２＞
（Ｃ）成分として、硫酸塩、好ましくは硫酸ナトリウムと、金属塩化物、好ましくは塩化ナトリウムとを含有する、前記＜１＞〜＜１１＞のいずれか記載の衣料用粉末洗剤組成物。
【００６５】
＜１３＞
（Ａ）成分の含有量が、組成物中、８質量％以上、好ましくは１０質量％以上、より好ましくは１２質量％以上であり、そして、３５質量％以下、好ましくは３０質量％以下、より好ましくは２５質量％以下である、前記＜１＞〜＜１２＞のいずれか記載の衣料用粉末洗剤組成物。
【００６６】
＜１４＞
（Ａ−１）成分の含有量が、組成物中、２質量％以上、好ましくは３質量％以上、より好ましくは４質量％以上である、前記＜１＞〜＜１３＞のいずれか記載の衣料用粉末洗剤組成物。
【００６７】
＜１５＞
（Ａ−２）成分の含有量が、組成物中、２質量％以上、好ましくは３質量％以上、より好ましくは４質量％以上である、前記＜１＞〜＜１４＞のいずれか記載の衣料用粉末洗剤組成物。
【００６８】
＜１６＞
（Ａ）成分中の（Ａ−１）成分及び（Ａ−２）成分の合計質量が、７５質量％以上、好ましくは８０質量％以上、より好ましくは８５質量％以上、より好ましくは９０質量％以上、より好ましくは９２質量％以上、より好ましくは９５質量％以上、より好ましくは９７質量％以上、より好ましくは９９質量％以上、より好ましくは１００質量％であっても良く、より好ましくは１００質量％である、前記＜１＞〜＜１５＞のいずれか記載の衣料用粉末洗剤組成物。
【００６９】
＜１７＞
（Ａ−１）成分の質量と（Ａ−２）成分の質量との比〔（Ａ−１）成分／（Ａ−２）成分〕が、６０／４０以上、好ましくは６５／３５以上であり、そして、８０／２０以下、好ましくは７５／２５以下である、前記＜１＞〜＜１６＞のいずれか記載の衣料用粉末洗剤組成物。
【００７０】
＜１８＞
（Ａ−２−１）成分の質量と（Ａ−２）成分の質量との比〔（Ａ−２−１）成分／（Ａ−２）成分〕が、０．４２以上、好ましくは０．４５以上、より好ましくは０．５以上であり、そして、０．９以下、好ましくは０．８５以下である、前記＜１＞〜＜１７＞のいずれか記載の衣料用粉末洗剤組成物。
【００７１】
＜１９＞
（Ａ−２−１）成分の質量と（Ａ）成分の質量との比〔（Ａ−２−１）成分／（Ａ）成分〕が、０．０７以上、好ましくは０．１以上、より好ましくは０．１５以上であり、そして、０．２８以下、好ましくは０．２５以下である、前記＜１＞〜＜１８＞のいずれか記載の衣料用粉末洗剤組成物。
【００７２】
＜２０＞
（Ｂ）成分の含有量が、１０質量％以上、好ましくは１５質量％以上であり、そして、４５質量％以下、好ましくは４０質量％以下、より好ましくは３５質量％以下である、前記＜１＞〜＜１９＞のいずれか記載の衣料用粉末洗剤組成物。
【００７３】
＜２１＞
（Ａ−１）成分及び（Ａ−２）成分の合計質量と、（Ｂ）成分の質量との比〔［（Ａ−１）成分＋（Ａ−２）成分］／（Ｂ）成分〕が、２６／７４以上、好ましくは２８／７２以上、より好ましくは２９／７１以上、より好ましくは３３／６７以上であり、そして、６６／３４以下、好ましくは６４／３６以下、より好ましくは６３／３７以下、より好ましくは６０／４０以下、より好ましくは５５／４５以下、より好ましくは５０／５０以下、より好ましくは４５／５５以下である、前記＜１＞〜＜２０＞のいずれか記載の衣料用粉末洗剤組成物。
【００７４】
＜２２＞
（Ｃ）成分の含有量が、組成物中、１０質量％以上、好ましくは２０質量％以上、より好ましくは３０質量％以上であり、そして、８０質量％以下、好ましくは７０質量％以下、より好ましくは６０質量％以下である、前記＜１＞〜＜２１＞のいずれか記載の衣料用粉末洗剤組成物。
【００７５】
＜２３＞
（Ａ−１）成分及び（Ａ−２）成分の合計質量と、（Ｃ）成分の質量との比〔［（Ａ−１）成分＋（Ａ−２）成分］／（Ｃ）成分〕が、６０／４０以下、好ましくは５０／５０以下、より好ましくは４５／５５以下、より好ましくは３３／６７以下であり、そして、１３／８７以上、好ましくは１４／８６以上、より好ましくは２０／８０以上である、前記＜１＞〜＜２２＞のいずれか記載の衣料用粉末洗剤組成物。
【００７６】
＜２４＞
（Ａ−１）成分及び（Ａ−２）成分の合計質量と、（Ｂ）成分及び（Ｃ）成分の合計質量との比〔［（Ａ−１）成分＋（Ａ−２）成分］／［（Ｂ）成分＋（Ｃ）成分］〕が、１／２０以上、好ましくは１／１０以上、より好ましくは１／８以上、より好ましくは１／７以上であり、そして、１／１以下、好ましくは１／２以下、より好ましくは１／４以下である、前記＜１＞〜＜２３＞のいずれか記載の衣料用粉末洗剤組成物。
【００７７】
＜２５＞
（Ｂ）成分の質量と（Ｃ）成分の質量との比〔（Ｂ）成分／（Ｃ）成分〕が、１／９９以上、好ましくは３／９７以上、より好ましくは５／９５以上、より好ましくは１０／９０以上、より好ましくは１５／８５以上、より好ましくは２０／８０以上、より好ましくは２５／７５以上、より好ましくは３０／７０以上、より好ましくは３５／６５以上であり、そして、９９／１以下、好ましくは９５／５以下、より好ましくは８０／２０以下、より好ましくは６０／４０以下、より好ましくは５５／４５以下、より好ましくは５０／５０以下である、前記＜１＞〜＜２４＞のいずれか記載の衣料用粉末洗剤組成物。
【００７８】
＜２６＞
（Ｄ−１）成分の含有量が、組成物中、１２質量％以下、好ましくは９質量以下％、より好ましくは７質量％以下、より好ましくは５質量％以下、より好ましくは３質量％以下、より好ましくは２質量％以下、より好ましくは１質量％以下、より好ましくは０質量％であっても良い、より好ましくは０質量％である、前記＜１＞〜＜２５＞のいずれか記載の衣料用粉末洗剤組成物。
【００７９】
＜２７＞
（Ｄ−２）成分の含有量が、組成物中、３質量％以下、好ましくは２質量％以下、より好ましくは１．５質量％以下、より好ましくは１質量％以下、より好ましくは０質量％である、前記＜１＞〜＜２６＞のいずれか記載の衣料用粉末洗剤組成物。
【００８０】
＜２８＞
（Ｄ−１）成分と（Ｄ−２）成分の合計含有量が、組成物中、１２質量％以下、好ましくは９質量以下％、より好ましくは５質量％以下、より好ましくは４質量％以下、より好ましくは３質量％以下、より好ましくは２質量％以下、より好ましくは１質量％以下、より好ましくは０質量％である、前記＜１＞〜＜２７＞のいずれか記載の衣料用粉末洗剤組成物。
【００８１】
＜２９＞
シリコーンの含有量が、組成物中、０．１質量％以下、好ましくは０．０５質量％以下、より好ましくは０質量％である、前記＜１＞〜＜２８＞のいずれか記載の衣料用粉末洗剤組成物。
【００８２】
＜３０＞
組成物中の、ＪＩＳ  Ｋ  ３３６２：２００８記載の加熱減量法による水分が０．５質量％以上、好ましくは１質量％以上であり、そして、１０質量％以下、好ましくは８質量％以下、より好ましくは６質量％以下である、前記＜１＞〜＜２９＞のいずれか記載の衣料用粉末洗剤組成物。
【００８３】
＜３１＞
ＪＩＳ  Ｋ  ３３６２：２００８により規定された方法で測定する見掛け密度が、１，６００ｇ／Ｌ以下、好ましくは１，３００ｇ／Ｌ以下、より好ましくは１，１００ｇ／Ｌ以下であり、そして、３００ｇ／Ｌ以上、好ましくは３５０ｇ／Ｌ以上、より好ましくは４００ｇ／Ｌ以上である、前記＜１＞〜＜３０＞のいずれか記載の衣料用粉末洗剤組成物。
【００８４】
＜３２＞
ＪＩＳ  Ｚ  ８８０１の標準篩を用いて５分間振動させた後、篩目のサイズによる質量分率から求める平均粒径が、１５０μｍ以上、好ましくは１８０μｍ以上であり、そして、１，０００μｍ以下、好ましくは８００μｍ以下、より好ましくは６００μｍ以下である、前記＜１＞〜＜３１＞のいずれか記載の衣料用粉末洗剤組成物。
【００８５】
＜３３＞
ＪＩＳ  Ｋ  ３３６２：２００８記載の２０℃で測定する０．１質量％水溶液のｐＨが、８以上、好ましくは９以上、より好ましくは９．５以上、より好ましくは１０以上であり、そして、１２以下、好ましくは１１．５以下、より好ましくは１１以下である、前記＜１＞〜＜３２＞のいずれか記載の衣料用粉末洗剤組成物。
【００８６】
＜３４＞
陽イオン界面活性剤の含有量が、組成物中、０．５質量％以下、好ましくは０．３質量％以下、より好ましくは０．１質量％以下、より好ましくは０質量％である、又は、アルキル基の炭素数が８以上、１８以下であるジ長鎖アルキルアミン及びそのポリオキシエチレン付加物、アルキル基の炭素数が８以上、１８以下であるモノ長鎖アルキル第４級アンモニウム塩、並びにアルキル基の炭素数が８以上、１８以下であるジ長鎖アルキル第４級アンモニウム塩から選ばれる陽イオン界面活性剤の含有量、中でもアルキル基の炭素数が８以上、１８以下であるモノ長鎖アルキル第４級アンモニウム塩及びアルキル基の炭素数が８以上、１８以下であるジ長鎖アルキル第４級アンモニウム塩から選ばれる陽イオン界面活性剤の含有量、更に中でもアルキル基の炭素数が８以上、１８以下であるモノ長鎖アルキル第４級アンモニウム塩の含有量が、組成物中、０．５質量％以下、好ましくは０．３質量％以下、より好ましくは０．１質量％以下、より好ましくは０質量％である、前記＜１＞〜＜３３＞のいずれか記載の衣料用粉末洗剤組成物。
【００８７】
＜３５＞
手洗い洗濯用である、前記＜１＞〜＜３４＞のいずれか記載の衣料用粉末洗剤組成物。
【００８８】
＜３６＞
前記＜１＞〜＜３５＞のいずれか記載の衣料用粉末洗剤組成物を含む洗浄水を接触させた被洗浄物を手洗いする手洗い洗濯方法。
【００８９】
＜３７＞
本発明の衣料用粉末洗剤組成物と水とを含む洗浄水を接触させた被洗浄物を手洗いする工程、及び手洗いした被洗浄物を水ですすぐ工程を有し、洗浄水の調製に用いる水の硬度、及び／又はすすぎに用いる水の硬度が、１°ＤＨ以上、好ましくは２°ＤＨ以上、より好ましくは３°ＤＨ以上、より好ましくは５°ＤＨ以上、より好ましくは１０°ＤＨ以上であり、そして、５０°ＤＨ以下、好ましくは３０°ＤＨ以下である、前記＜３６＞記載の手洗い洗濯方法。
【実施例】
【００９０】
下記成分を表１に示す配合で用いて、下記の方法で衣料用粉末洗剤組成物を調製し、以下の評価を行った。結果を表１に示す。
【００９１】
＜配合成分＞
・ＬＡＳ：ドデシルベンゼンスルホン酸ナトリウム（関東化学（株）製、直鎖アルキル（炭素数１２）ベンゼンスルホン酸ナトリウム）
・Ｃ１６ＡＳ：アルキル基の炭素数が１６である直鎖アルキル硫酸ナトリウム（和光純薬工業（株）製）
・Ｃ１２ＡＳ：アルキル基の炭素数が１２である直鎖アルキル硫酸ナトリウム（和光純薬工業（株）製）
・Ｃ１４ＡＳ：アルキル基の炭素数が１４である直鎖アルキル硫酸ナトリウム（和光純薬工業（株）製）
・ＡＥＳ−Ｎａ（ＥＯ＝２）：ポリオキシエチレン（平均付加モル数２）ラウリルエーテル硫酸エステルナトリウム、エマール２７０Ｊ（花王（株）製）
・炭酸ナトリウム：デンス灰（セントラル硝子（株）製）
・炭酸水素ナトリウム：和光純薬工業（株）製  炭酸水素ナトリウム
・非晶質ケイ酸ナトリウム：４３質量％ケイ酸ナトリウム水溶液（ＴＯＫＵＹＡＭＡ  ＳＩＡＭ  ＳＩＬＩＣＡ  ＣＯ．，ＬＴＤ製）を有効分が表中の値となるように用いた。
・硫酸ナトリウム：無水中性芒硝（四国化成工業（株）製）
・塩化ナトリウム：和光純薬工業（株）製、塩化ナトリウム
・ゼオライト：Ａ型ゼオライト：「ゼオビルダー」（ゼオビルダー社製、メジアン径：３．０μｍ）
【００９２】
＜粉末洗剤組成物の製造方法＞
実施例１〜１０、比較例１〜５
レディゲミキサー（松阪技研（株）製、容量２０Ｌ）を用いて、洗剤組成物を５ｋｇ単位で製造した。表１に従い炭酸ナトリウム、硫酸ナトリウム、塩化ナトリウム、炭酸水素ナトリウム、ゼオライト、Ｃ１６ＡＳ、Ｃ１２ＡＳ、Ｃ１４ＡＳ、ＬＡＳ、ＡＥＳ−Ｎａ（ＥＯ＝２）を上記レディゲミキサーにより混合し、水が合計４質量部になるように水と非晶質ケイ酸ナトリウムを混合して２分間で加えて１分間ミキサーを作動させることにより造粒した粒子を１１８０μｍスクリーンで篩い分けし、篩上品はフィッツミル粉砕機（ＤＫＡ−６：ホソカワミクロン製）で粉砕処理を行った。これにより得られた実施例１〜１０、比較例１〜５の粒子は、前記方法で測定された見掛け密度が７００〜１１００ｇ／Ｌ、前記方法で測定された平均粒径が１８０〜６００μｍ、前記方法で測定された０．１質量％水溶液のｐＨ（２０℃）が１０〜１１であった。
【００９３】
＜評価用肌着の調製方法＞
市販肌着２．５ｋｇ〔グンゼ社製（ＹＧ１６１４丸首Ｌサイズ  木綿１００％）〕を洗濯機（Panasonic製 NA-F70PB1 '2008）で、水温２０℃、炭酸カルシウム換算で89.5ｍｇ／Ｌ［ドイツ硬度で５°ＤＨ］の硬水を用いて洗濯を５回繰り返して処理剤を除去した〔洗濯条件：水量５４Ｌ、洗い１２分、すすぎ２回（ためすすぎ）、脱水５分〕。その際に、非イオン性界面活性剤（炭素数１２の１級アルコールにオキシエチレンを平均６モル付加させたもの）、非晶質ケイ酸ナトリウム、炭酸ナトリウムを１：１：３（質量比）で混合したものを０．５ｇ／Ｌで使用した。その後、水温２０℃、炭酸カルシウム換算で89.5ｍｇ／Ｌの硬水を用いて、２槽式洗濯機（HITACHI製、PS-H35L‘2008）で、流水すすぎを行った。すすぎを止めた際に完全に泡がなくなるまですすぎを行い、処理剤及び洗浄成分を除去したものを自然乾燥にて乾燥させ評価用肌着として使用した。
【００９４】
＜評価＞
（１）泡立ち性評価
モデル円形洗面器（底面の直径（内径）２５ｃｍ、高さ１５ｃｍの円柱のアクリル製容器）に、水温２０℃、炭酸カルシウム換算で１７９ｍｇ／Ｌ［ドイツ硬度で１０°ＤＨ］の硬水を〔塩化カルシウムＣａＣｌ2・２Ｈ2Ｏを１．５８ｇと硫酸マグネシウムＭｇＳＯ4・６Ｈ2Ｏを１．４５ｇにイオン交換水を加えて１０Ｌとしたもの、Ｃａ／Ｍｇ＝６／４（モル比）〕３Ｌ注入する。次に粉末洗剤組成物を（Ａ）成分が合計で１５００ｐｐｍになるように添加し、溶解させる。次いで予め加温（６０℃）した調製油（組成は下記に示す）を３枚で１ｇになるように（１枚当り約０．３３ｇ）襟元にスポイト（φ：２ｍｍ）を用いて滴下する。肌着を洗浄液に投じ、完全に浸る状態で１５分間放置する。放置後、肌着１枚に付き襟元を５０回もみ洗い（襟元同士を擦り合わせながら１往復（約１秒）で１回と換算）する。その後、肌着を取り出し、肌着の含水量が肌着に対して１００〜１４０％程度になるように洗面器から１０ｃｍ上で絞る。３枚絞った直後の泡高さを計測する。計測は次に示す方法で行った。
モデル円形洗面器を平面からみて４分割（扇形に４等分）した各領域において、水面からの泡高さを、ものさしを使用して、各領域につき１箇所、合計４箇所、測定し、泡高さの平均値を算出する。そして同様の評価を３名で行い、３人の平均値を採用した。
【００９５】
２５〜３９歳の中国人の女性（Ｎ＝２４）に泡立ちに関してアンケートを行った結果、泡高さが０．５ｃｍ以上の場合、３５％の女性が満足すると答え、１．０ｃｍ以上で８０％の女性が満足すると答え、１．５ｃｍ以上で９０％の女性が満足すると答えた。この結果から、洗浄時の泡高さは１．０ｃｍ以上が好ましく、１．３ｃｍ以上がより好ましく、１．６ｃｍ以上がより好ましい。
【００９６】
＊調製油
ラウリン酸１質量％、ミリスチン酸７．１質量％、ペンタデカン酸５．３質量％、パルチミチン酸１４．２質量％、ヘプタデカン酸１質量％、ステアリン酸３．６質量％、オレイン酸１７．８質量％、トリオレイン３０質量％、パルミチン酸ｎ−ヘキサデシル５質量％、スクアレン１５質量％を約６０℃に加温し、均一に溶解混合したものを調製油とした。
【００９７】
（２）すすぎ性評価
（２−１）泡切れ性
モデル円形洗面器（底面の直径（内径）２５ｃｍ、高さ１５ｃｍの円柱状のアクリル製容器）に、すすぎ水として、水温２０℃、炭酸カルシウム換算で１７９ｍｇ／Ｌ［ドイツ硬度で１０°ＤＨ］の硬水（前記泡立ち性評価で用いたものと同様に調製したもの）５Ｌを注入し、上記泡立ち性評価で絞った肌着３枚を投入する。肌着をすすぎ水中でほぐした後、ほぐした肌着を１枚ずつエリの部分を持って浴中から上に持ち上げ（浴中から洗面器上約５ｃｍの高さまで衣類全体が抜け切るまで持ち上げる）、その後再び浴中へ戻す。このような上下運動によるすすぎを１枚の肌着につき１０回繰り返した後、肌着の含水量が肌着に対して１００〜１４０％程度になるように洗面器から１０ｃｍ上で絞り、３枚の肌着のすすぎ、脱水が終わった直後のすすぎ水の状態を観察し、下記の基準でポイントをつけ、すすぎ性と透明性を評価した。そして同様の評価を３名で行い、３人の平均値を採用した。
【００９８】
・すすぎ性の評価ポイント
６：液面全体を泡高さ１ｃｍ以上の泡が残っている。
５：液面全体に泡が残っている（１ｃｍ未満）。
４：液面の１／２程度に泡（１ｃｍ未満）が残っている。
３：液面の１／４程度に泡（１ｃｍ未満）が残っている。
２：液面に細かい泡が残っている。
１：液面に泡が残っていない。
【００９９】
・透明性の評価ポイント
４：すすぎ水が洗面器の底面を確認できないほど濁っている。
３：すすぎ水が濁っているが、洗面器の底面を確認できる。
２：すすぎ水がほとんど濁っておらず、洗面器の底面を確認できるほど透明である。
１：すすぎ水が洗面器の底面を明瞭に確認できるほど透明である。
【０１００】
すすぎ工程時の泡切れが良くなかったり、すすぎ水が洗面器の底面を確認できないほど濁っていると、泡が切れるかまたはすすぎ水が明澄になるまで何度もすすぎを実施するために回数が増えてしまう。結果として、多量の水を消費してしまうことになる。このような観点からすすぎ時の泡が少なく、またはすすぎ水が透明であることが好ましい。上記のポイントでは、すすぎ性、透明性、どちらも、３ポイント以下が好ましく、更に２ポイント以下が好ましい。
【０１０１】
（３）洗浄力評価
＜人工汚染布の作製＞
使用した人工汚染布は、６ｃｍ×６ｃｍの木綿／ポリエステル混紡ブロード染着布（木綿／ポリエステル比＝６５／３５、谷頭商店より購入）に、下記組成から成る人工汚垢を１枚当り１００ｍｇになるようグラビア塗工したものである。
【０１０２】
＊人工汚垢
下記Ａ、Ｂ、Ｃ、Ｄ、Ｅを含有する組成物を人工汚垢とした。それぞれの質量％は、最終組成の人工汚垢中の割合であり、合計が１００質量％となるようにＢの量を調節した。Ａ：前記泡立ち性評価で用いた調製油（人工汚垢中の質量％が、ラウリン酸０．４４質量％、ミリスチン酸３．１５質量％、ペンタデカン酸２．３５質量％、パルチミチン酸６．３１質量％、ヘプタデカン酸０．４４質量％、ステアリン酸１．６質量％、オレイン酸７．９１質量％、トリオレイン１３．３３質量％、パルミチン酸ｎ−ヘキサデシル２．２２質量％、スクアレン６．６６質量％となる量で用いる）
Ｂ：塩化カルシウム（２水塩）１０５ｍｇを秤量し、蒸留水に溶かして１，０００ｍｌとして得た硬水
Ｃ：卵白レシチン液晶物１．９８質量％（蒸留水８０ｍｌにアルギニン塩酸塩１１．３７ｇ、ヒスチジン４．２０ｇ、セリン２．４４ｇを溶解し、濃塩酸でｐＨを５．０に調整した後、この溶液と卵白レシチンをミキサーで十分混ぜ合わせて得た卵白レシチン液晶物）Ｄ：鹿沼赤土８．１１質量％
Ｅ：カーボンブラック０．０２５質量％
【０１０３】
＜洗浄条件＞
粉末洗剤組成物を（Ａ）成分が合計で１５０ｐｐｍになるように、炭酸カルシウム換算で１７９ｍｇ／Ｌの硬水（前記泡立ち性評価で用いたものと同様に調製したもの）１Ｌに溶解し、そこに上記人工汚染布４枚入れてターゴトメーターにて以下の条件で洗浄した。
洗浄時間１０分
水温２０℃
洗浄力は、汚染前の原布、及び洗浄前後の５５０ｎｍにおける反射率を測色色差計（日本電色株式会社製  Ｚ−３００Ａ）にて測定し、次式によって洗浄率（％）を求めた（表中の値は４枚の洗浄率の平均値）。
洗浄率（％）＝１００×［（洗浄後の反射率−洗浄前の反射率）／（原布の反射率−洗浄前の反射率）］
【０１０４】
【表１】
2014141639.tif 000002